(57)【特許請求の範囲】
【請求項１】
人体の胸部に外嵌状に装着自在とされた胸郭体１と、該胸郭体１上部の前後に各々両側一対の角度調整手段５３付き連結ア−ム５１・５２を介して取付けられた下顎受体６および後頭部受体８とよりなる頸椎装具であって、上記角度調整手段５３は胸郭体１・下顎受体６・後頭部受体８に各々止着された放射状の爪５６付きクラッチ部材５４と、該クラッチ部材５４に噛合せるべく連結ア−ム５１・５２に形成された同形状の爪６２付きクラッチ部６０と、該クラッチ部材５４・クラッチ部６０を噛合せて固定すべく連結ア−ム５１
・５２に回動自在に付設された作用爪６６付きストッパ−リング６３と、該ストッパ−リング６３に回動自在に嵌合された筒状摘み６９と、ストッパ−リング６３の作用爪６６に噛合せて押圧作動せしめるべく該摘み６９内に掛止自在に嵌合された作用爪８０付き受部材７６とが同軸状に軸支されてなり、上記ストッパ−リング６３の作用爪６６と受部材７６の作用爪８０を係合させ噛合せることにより、クラッチ部材５４とクラッチ部６０とを押圧作動させてその爪５６・６２どうしを噛合せて固定された状態と、ストッパ−リング６３の作用爪６６と受部材７６の作用爪８０との係合噛合せを解除して、クラッチ部材５４・クラツチ部６０の爪５６・６２の高さ以上の遊びを生じさせることにより、クラッチ部材５４とクラッチ部６０とを噛合せ固定状態から噛合せの解かれた角度調整可能状態とを、摘み６９の回動により切換可能に構成せしめてなることを特徴とする、頸椎装具。
【発明の詳細な説明】
【０００１】
【発明の属する技術分野】
本発明は頸椎装具に関し、更に詳細には、胸椎上部から頸椎および頭蓋骨などに障害がある場合にその動きを制限すべく人体に装着して使用する頸椎装具に関する。
【０００２】
【従来の技術】
従来より、この種の頸椎装具としては、本発明者が先に開示した頸椎装具（特許第２９２３５５９号公報参照）が知られており、これを図６〜図８に基づいて説明する。
即ち、同図中、１は人体の胸部に外嵌状に装着自在とされたプラスチック製の胸郭体、２・３は該胸郭体１を構成する略Ｙ字形状の前部胸郭部材と後部胸郭部材、４・５は該前後部胸郭部材２・３の上下部を各々締結せしめる両側一対の肩用装着バンドと胴用装着バンド、６は前部胸郭部材２に両側一対の連結ア−ム７を介して起立状に取付けられた下顎受体、８は後部胸郭部材３に両側一対の連結ア−ム９を介して起立状に取付けられた後頭部受体である。１０・１１は上記両側の前部連結ア−ム７を各々構成する所要の長さを備えた略リンク片状の上部連結ア−ム部材と下部連結ア−ム部材、１２は該上下部連結ア−ム部材１０・１１の自由端を枢着ピン１３でもって可動自在に連結せしめる略板状の継手部材、１４は各枢着ピン１３を中心として該継手部材１２の外周縁に各々所定ピッチでもって同一円周上に形成された所要数の角度調整孔で、所要の該角度調整孔１４に止ネジ１５を介して上下部連結ア−ム部材１０・１１の自由端がわを固定せしめることにより下顎受体６の高さのみならず前屈・後屈の角度を自由に調整せしめるべく構成されている。
【０００３】
１６・１７は前記両側の後部連結ア−ム９を各々構成する所要の長さを備えた略リンク片状の上部連結ア−ム部材と下部連結ア−ム部材、１８は該上下部連結ア−ム部材１６・１７の自由端を枢着ピン１３でもって可動自在に連結せしめる略板状の継手部材で、該継手部材１８の外周縁には前記継手部材１２と同様に角度調整孔１９が形成され、上下部連結ア−ム部材１６・１７の自由端がわを適宜所要の角度調整孔１９に止ネジ１５を介して固定せしめることにより後頭部受体８の高さのみならず前屈・後屈の角度を自由に調整せしめるべく構成されている。２０は下顎受体６と後頭部受体８とを締結せしめる両側一対の装着バンド、２１は胸郭体１や下顎・後頭部受体６・８の内面に取付けられた所要形状のパット部材である。
【０００４】
そして、上述の如く構成された従来例は、人体の胸部に前部胸郭部材２および後部胸郭部材３を各々外嵌状に当てがいつつ装着バンド４・５により締結せしめる。しかるのち、前後部の各連結ア−ム７・９を構成する各上下部連結ア−ム部材１０・１１・１６・１７を所定方向に可動せしめつつ各継手部材１２・１８の角度調整孔１４・１９に止ネジ１５を介して適宜固定せしめ、下顎受体６および後頭部受体８を各々所要の高さのみならず、前屈・後屈方向に対して適正に角度調整せしめる。次いで、下顎受体６を下顎に、後頭部受体８を後頭部に各々当てがいつつ装着バンド２０を締結せしめる。そして、両側一対の前部連結ア−ム７と後部連結ア−ム９により下顎受体６・後頭部受体８を介して下顎骨部および後頭結節部を支持せしめ、頸椎の前屈・後屈・回旋・側屈の角度制限や頭部の重量による頸椎への負担を好適に緩和せしめるものである。
【０００５】
【発明が解決しようとする課題】
ところで、上述の如く構成された従来例は、前後部の各連結ア−ム７・９を構成する各上下部連結ア−ム部材１０・１１・１６・１７を適宜継手部材１２・１８の角度調整孔１４・１９に止ネジ１５を介して固定せしめ、下顎受体６および後頭部受体８を各々所要の高さのみならず前屈・後屈方向に対して角度調整せしめるものであるから、その角度調整操作が非常に面倒で手間がかかり、しかも、微調整を適正に行うことが出来ないのみならず、下顎受体６および後頭部受体８を安定的に支持せしめずらいものとなっていた。
【０００６】
本発明は、かかる従来例の問題点を解決し、常に容易に、しかも、迅速かつ確実に角度調整を行うことが出来、しかも、常に下顎受体および後頭部受体を安定的に支持せしめることが出来る頸椎装具を提供しようとするものである。
【０００７】
【課題を解決するための手段】
即ち、本発明は、人体の胸部に外嵌状に装着自在とされた胸郭体１と、該胸郭体１上部の前後に各々両側一対の角度調整手段５３付き連結ア−ム５１・５２を介して取付けられた下顎受体６および後頭部受体８とよりなる頸椎装具であって、上記角度調整手段５３は胸郭体１・下顎受体６・後頭部受体８に各々止着された放射状の爪５６付きクラッチ部材５４と、該クラッチ部材５４に噛合せるべく連結ア−ム５１・５２に形成された同形状の爪６２付きクラッチ部６０と、該クラッチ部材５４・クラッチ部６０を噛合せて固定すべく連結ア−ム５１・５２に回動自在に付設された作用爪６６付きストッパ−リング６３と
、該ストッパ−リング６３に回動自在に嵌合された筒状摘み６９と、ストッパ−リング６３の作用爪６６に噛合せて押圧作動せしめるべく該摘み６９内に掛止自在に嵌合された作用爪８０付き受部材７６とが同軸状に軸支されてなり、上記ストッパ−リング６３の作用爪６６と受部材７６の作用爪８０を係合させ噛合せることにより、クラッチ部材５４とクラッチ部６０とを押圧作動させてその爪５６・６２どうしを噛合せて固定された状態と、ストッパ−リング６３の作用爪６６と受部材７６の作用爪８０との係合噛合せを解除して、クラッチ部材５４・クラツチ部６０の爪５６・６２の高さ以上の遊びを生じさせることにより、クラッチ部材５４とクラッチ部６０とを噛合せ固定状態から噛合せの解かれた角度調整可能状態とを、摘み６９の回動により切換可能に構成せしめてなることを特徴とする、頸椎装具を要旨とするものである。
【０００８】
そして、本発明にかかる頸椎装具は、ストッパ−リング６３の作用爪６６と受部材７６の作用爪８０を係合させ噛合せることにより、クラッチ部材５４とクラッチ部６０とを押圧作動させてその爪５６・６２どうしを噛合せて固定された状態と、ストッパ−リング６３の作用爪６６と受部材７６の作用爪８０との係合噛合せを解除して、クラッチ部材５４・クラツチ部６０の爪５６・６２の高さ以上の遊びを生じさせることにより、クラッチ部材５４とクラッチ部６０とを噛合せ固定状態から噛合せの解かれた角度調整可能状態とを、摘み６９の回動により適宜切り換え、常に容易に、しかも、迅速かつ確実に角度調整せしめて下顎受体６および後頭部受体８を各々適正な高さのみならず、前屈・後屈方向に対して適正に調整せしめることが出来るものである。
【０００９】
【発明の実施の形態】
以下に、本発明の実施の形態を図面に示す一実施例に基づいて説明する。
図１〜図５は本発明の一実施例を示すもので、同図中、５１・５２は角度調整手段５３を介して胸郭体１上部と下顎受体６および後頭部受体８を各々連結せしめる所要の幅と長さを備えた両側一対の下顎受体用連結ア−ムと後頭部受体用連結ア−ム、５４は上記角度調整手段５３を構成する略傘歯車状のクラッチ部材で、該クラッチ部材５４は止ネジ５５を介して胸郭体１・下顎受体６・後頭部受体８の各々所要箇所に止着されている。５６は所定ピッチでもって放射状に形成されたクラッチ部材５４のすぐば状爪、５７はクラッチ部材５４の中心に突設された所要長のネジ孔５８付き軸、５９はクラッチ部材５４の裏面に突設された取付け位置決め用突片である。６０は上記クラッチ部材５４に軸孔６１を介して同軸状に噛合せるべく各連結ア−ム５１・５２の両端部に各々一体形成されたクラッチ部、６２は該クラッチ部６０に形成された上記クラッチ部材５４の爪５６と同形状のすぐば状爪、６３は該クラッチ部６０をクラッチ部材５４に噛合せて固定せしめるべく各連結ア−ム５１・５２の両端部に軸孔６４を介して同軸状に回動自在に付設された略有底円筒状のストッパ−リング、６５は該ストッパ−リング６３の内周壁面に所要の幅をもって切欠き形成された両側一対のガイド溝、６６は該ガイド溝６５に対向することなくストッパ−リング６３の底壁内面上に突設された所要の高さを有する両側一対の作用爪で、該作用爪６６は同一円周上に位置すると共に、その頂部にはフラット面部６７が、同一側には対称状に傾斜面部６８が各々形成されている。
【００１０】
６９は上記ストッパ−リング６３に嵌合部７０を介して嵌合されると共に軸孔７１を介して同軸状に回動自在に軸支された有底円筒状の摘み、７２はガイド溝６５に係合してストッパ−リング６３の回動を制御せしめるべく嵌合部７０の中心線方向に沿ってその外周面に対向状に突設された両側一対のガイド用突条、７３は後記する受部材７６を嵌合掛止せしめるべく摘み６９の上端部内周壁面に段落状に形成された掛止段部、７４は摘み６９の中心線方向に沿ってその内周壁面に形成された係合溝、７５は後記する受部材７６の作用爪８０を掛止保持せしめるべく摘み６９の底壁内面上に突設された所要の高さを有する両側一対の掛止部で、該掛止部７５は同一円周上に位置せしめられている。
【００１１】
７６は上記摘み６９に軸孔７７を介して同軸状に嵌合された有底円筒状の受部材、７８は摘み６９の掛止段部７３に掛止せしめるべく該受部材７６の外端縁に形成された掛止用フランジ、７９は係合溝７４に係合せしめるべく受部材７６の中心線方向に沿ってその外周面に突設された係合突条、８０はストッパ−リング６３の作用爪６６に噛合せるべく受部材７６の先端部に突設された両側一対の作用爪で、該作用爪８０は同一円周上に位置すると共に、その頂部にはフラット面部８１が、同一側には対称状に傾斜面部８２が各々形成されている。そして、該作用爪８０はその外周縁が摘み６９の掛止部７５に掛止保持せしめられている。８３は受部材７６の軸孔７７を通して軸５７のネジ孔５８に螺合されたストッパ−用止ネジで、該止ネジ８３により受部材７６の可動幅を制御して作用爪６６・８０どうしの噛合せを適正に行うものとされている。その他は従来例と同一であり、同一符号は同一部分を示す。
【００１２】
そして、上述の如く構成された実施例は、先ず従来例と同様に人体の胸部に前部胸郭部材２および後部胸郭部材３を各々外嵌状に当てがいつつ装着バンド４・５により締結せしめる。しかるのち、摘み６９に受部材７６を掛止してその回動を阻止せしめつつ各ストッパ−リング６３を順次所定方向に回動せしめ、その作用爪６６と受部材７６の作用爪８０との係合噛合せを解除し、クラッチ部材５４とクラッチ部６０の各放射状爪５６・６２の高さ以上の遊びを生じさせることにより、クラッチ部材５４・クラッチ部６０の噛合せ固定状態からその噛合せを解除して角度調整可能状態にせしめる（図３および図４参照）。次いで、各連結ア−ム５１・５２を所定方向に可動せしめつつ所要の角度に調整せしめ、クラッチ部６０をクラッチ部材５４に噛合せる。このさい、クラッチ部６０およびクラッチ部材５４には各々所定ピッチでもって爪５６・６２が放射状に形成されているから、各連結ア−ム５１・５２を微調整せしめつつ適正な角度に調整せしめることが出来る。
【００１３】
各連結ア−ム５１・５２の角度調整が完了すると、摘み６９に受部材７６を掛止してその回動を阻止せしめつつ、ストッパ−リング６３を所定方向に回動せしめる。このさい、ストッパ−リング６３の回動幅は、摘み６９のガイド用突条７２により適正に制御せしめられる。そして、ストッパ−リング６３の回動によりその作用爪６６を受部材７６の作用爪８０に係合させて噛合せつつ、クラッチ部６０をクラッチ部材５４に押圧せしめてその爪５６・６２どうしを噛合せ状に固定し、下顎受体６および後頭部受体８を各々適正な高さのみならず、前屈・後屈方向に対して適正に調整せしめる（図５参照）。次いで、下顎受体６を人体の下顎に、後頭部受体８を同後頭部に各々当てがいつつ装着バンド２０を介して締結する。そして、両側一対の下顎受体用連結ア−ム５１と後頭部受体用連結ア−ム５２により下顎受体６・後頭部受体８を介して下顎骨部および後頭結節部を支持せしめ、頸椎の前屈・後屈・回旋・側屈の角度制限や頭部の重量による頸椎への負担を適正に緩和せしめるものである。
【００１４】
なお、上記実施例において、クラッチ部材５４およびクラッチ部６０の爪５６・６２は各々すぐば状とされているが、はすば状に形成してもよいものである。
【００１５】
【発明の効果】
本発明は上述のように構成されているから、ストッパ−リング６３の作用爪６６と受部材の作用爪８０を係合させ噛合せることにより、クラッチ部材５４とクラッチ部６０とを押圧作動させてその爪５６・６２どうしを噛合せて固定された状態と、ストッパ−リング６３の作用爪６６と受部材７６の作用爪８０との係合噛合せを解除して、クラッチ部材５４・クラツチ部６０の爪５６・６２の高さ以上の遊びを生じさせることにより、クラッチ部材５４とクラッチ部６０とを噛合せ固定状態から噛合せの解かれた角度調整可能状態とを、摘み６９の回動により適宜切り換えることにより、下顎受体６および後頭部受体８を各々適正な高さのみならず前屈・後屈方向に対して極めて容易に、しかも、迅速、かつ、確実に角度調整を行うことが出来るのみならず、クラッチ部材５４およびクラッチ部６０との噛合せにより簡単に微調整することが出来るものである。しかも、連結ア−ム５１・５２は各々単一部材により形成されているから、従来例に比して、下顎受体６および後頭部受体８を常に安定的に支持せしめることが出来るものである。
【図面の簡単な説明】
【図１】  本発明の一実施例を示す要部分解斜視図である。
【図２】  実施例の角度調整手段５３を示す一部拡大側面図である。
【図３】  実施例の角度調整手段５３を示す垂直断面図である。
【図４】  実施例のストッパ−リング６３の作用爪６６と受部材７６の作用爪８０との噛合いを解除せしめると共に、クラッチ部材５４とクラッチ部６０との噛合いを解除せしめた状態を示す垂直断面図である。
【図５】  実施例のストッパ−リング６３の作用爪６６と受部材７６の作用爪８０とを噛合せると共に、クラッチ部材５４とクラッチ部６０とを噛合せて固定せしめた状態を示す垂直断面図である。
【図６】  従来例を使用状態と共に示す側面図である。
【図７】  従来例の角度調整構造を示す一部拡大側面図である。
【図８】  従来例の下顎受体６および後頭部受体８における前屈・後屈の角度調整状態を示す側面図である。
【符号の説明】
１    胸郭体
６    下顎受体
８    後頭部受体
５１・５２  連結ア−ム
５４  クラッチ部材
５６  爪
６０  クラッチ部
６２  爪
６３  ストッパ−リング
６６  作用爪
６９  摘み
７６  受部材
８０  作用爪
【図１】
0003636996.tif 000002
【図２】
0003636996.tif 000003
【図３】
0003636996.tif 000004
【図４】
0003636996.tif 000005
【図５】
0003636996.tif 000006
【図６】
0003636996.tif 000007
【図７】
0003636996.tif 000008
【図８】
0003636996.tif 000009